【事件の表示】
　特許第３０１６９７８号「迅速な液体搬送帯を備える吸収性物品」の請求項１、２、８、９に係る特許に対する特許異議の申立てについて、次のとおり決定する。
【結　論】
　訂正を認める。
　特許第３０１６９７８号の請求項１、２に係る特許を維持する。
【理　由】
 　　　　　理　　　　　　　由
１．手続の経緯
　本件特許第３０１６９７８号の発明については、平成４年１１月１０日に出願され、平成１１年１２月２４日にその特許権の設定登録がなされ、その後、田中幹代より特許異議の申し立てがなされ、当審により取り消し理由通知がなされ、その指定期間内である平成１３年７月３１日に訂正請求（後日取下げ）がなされた後、再度の取消理由が通知され、その指定期間内である平成１５年１月２２日に訂正請求がなされたものである。
　
２．訂正の適否についての判断
　ア．訂正の内容
  特許権者が求めている訂正の内容は、以下のとおりである。
(i)訂正事項１
　特許請求の範囲における請求項１を次のように訂正する。
「【請求項１】液体透過性トップシートと、液体不透過性バックシートと、長手方向縁部と横端部を有しトップシートとバックシートの間に配置され人体からの液体排出物を吸収するアブソーバントパッドと、トップシートと、トップシートとアブソーバントパッドの間に配置された液体搬送体とを備え、前記液体搬送帯は不織布を有し、前記不織布は、薄膜要素に強く圧縮されたエンボス部を有するエンボスパターンを有し、前記エンボス部は、前記エンボス部を通過する液体の搬送を規制するように配列され、それにより、液体排出物のアブソーバントパッドの横端部方向への搬送が長手方向と比較して抑制されていることを特徴とする吸収性物品。」
(ii)訂正事項２
　特許請求の範囲の請求項２における「エンボス部」を「エンボスパターン」と訂正する。
(iii)訂正事項３
　特許請求の範囲の請求項８、９および１０を削除する。
(iv)訂正事項３
　特許明細書の段落【0019】の第８行〜第１１行の「ここで使用される用語「エンボスパターン(embossed　pattern)」は直線、曲線、あるいはこれら線の連続および／または断続線、あるいは長手方向に主に傾向つけられた他のパターンを含み、またこれらに限定されない」を「ここで使用される用語「エンボスパターン(embossed　pattern)」は直線、曲線、あるいはこれら線の連続および／または断続線のパターン、あるいは長手方向に主に傾向つけられた他のパターンを含み、またこれらに限定されない」と訂正する。
(v)訂正事項５
　特許明細書の段落【0019】の第１４行の「エンボスパターン２７」を「細い楕円２７」と訂正する。
　
　イ．訂正の適否、新規事項の有無及び拡張・変更の存否
　上記の訂正事項１は、「エンボス部」を「前記エンボス部は、前記エンボス部を通過する液体の搬送を規制するように配列され」るように限定し、「液体排出物のアブソーバントパッドの横端部方向への搬送が抑制される」を「液体排出物のアブソーバントパッドの横端部方向への搬送が長手方向と比較して抑制される」と限定することをその内容とするものであるから特許請求の範囲の減縮を目的とした明細書の訂正に該当する。
　訂正事項２は、「エンボス部」を「エンボスパターン」と訂正するものであるが、特許明細書の段落【0019】の第１２〜１５行の記載を参照すれば、上記「エンボス部」が「エンボスパターン」の誤記であることは明らかであるから、誤記の訂正を目的とした明細書の訂正に該当する。
　訂正事項３は、請求項８、９および１０を削除するものであるから、特許請求の範囲の減縮を目的とした明細書の訂正に該当する。
　訂正事項４は、エンボスパターンの形状を明確にしたものであり、明りょうでない記載の釈明を目的とした明細書の訂正に該当する。
　そして、上記の訂正事項は、特許明細書に記載された事項の範囲内のものであって、かつ、実質上特許請求の範囲を拡張し又は変更するものではない。
　
　ウ．むすび
　以上のとおりであるから、上記訂正請求は、特許法第１２０条の４第２項及び同条第３項で準用する第１２６条第２項及び第３項の規定に適合するので、当該訂正を認める。
　
３．特許異議の申立てについて
　ア．本件発明
　特許第３０１６９７８号の請求項１〜７に係る発明は、訂正明細書の請求項１〜７に記載された次のとおりのものである。
「【請求項１】液体透過性トップシートと、液体不透過性バックシートと、長手方向縁部と横端部を有しトップシートとバックシートの間に配置され人体からの液体排出物を吸収するアブソーバントパッドと、トップシートと、トップシートとアブソーバントパッドの間に配置された液体搬送体とを備え、前記液体搬送帯は不織布を有し、前記不織布は、薄膜要素に強く圧縮されたエンボス部を有するエンボスパターンを有し、前記エンボス部は、前記エンボス部を通過する液体の搬送を規制するように配列され、それにより、液体排出物のアブソーバントパッドの横端部方向への搬送が長手方向と比較して抑制されていることを特徴とする吸収性物品。
【請求項２】エンボスパターンはアブソーバントパッドの長手方向縁部に主に向けられた複数の断続線を有することを特徴とする請求項１に記載の吸収性物品。
【請求項３】不織布はアブソーバントパッドの長手方向縁部に主に向けられた高繊維密度部を備えたスクリーンパターンを有することを特徴とする請求項１に記載の吸収性物品。
【請求項４】スクリーンパターンは連続パターンを有することを特徴とする請求項３に記載の吸収性物品。
【請求項５】連続パターンは複数の並行ラインを有することを特徴とする請求項４に記載の吸収性物品。
【請求項６】連続パターンは複数の菱形を有する格子パターンを有し、各菱形は長軸および短軸を有し、長軸はアブソーバントパッドの長手方向縁部に向いていることを特徴とする請求項４に記載の吸収性物品。
【請求項７】エンボスパターンは格子パターンの菱形の内部に位置する断続線を有することを特徴とする請求項６に記載の吸収性物品。」
　
　イ．申立の理由の概要
　特許異議申立人田中幹代（以下、「申立人」という。）は、証拠として甲第１号証（特開昭５８−１４６３４７号公報）、甲第２号証の１（実開平３−３３６２２号公報）及び甲第２号証の２（実願平１−９５０５５号のマイクロフィルム）を提出し、訂正前の本件請求項１は、甲第１号証に記載された発明であるから特許法第２９条第１項第３号に該当し、特許を受けることができず（主張１）、あるいは甲第１号証に記載された発明から当業者が容易に発明をすることができたものであるから、特許法第２９条第２項の規定違反し特許を受けることができず（主張２）、請求項２、８及び９項に係る発明は、甲１号証又は甲第２号証に記載された発明に基づいて当業者が容易に発明をすることができたものであるから、特許法第２９条第２項の規定に違反し、特許を受けることができず（主張３）、さらに、請求項２、８及び９に係る発明は特許法第３６条第４項及び第５項第１号、第２号の規定を満たしていない（主張４）ので、請求項１、２、８及び９に係る発明の特許を取り消すべき旨主張する。
　
　ウ．申立人が提出した甲各号証記載の発明
　甲第１号証は、装着感のすぐれた生理ナプキンに関するもので、以下の記載がある。
　ウ−１−１．「熱可塑性材料と主要吸収材料層とを包含していて生理用ナプキン内を通して設置された液体浸透性透過層を有する吸収材本体、
　生理用ナプキン装着者の身体に当たる表面を有する液体浸透性カバー、および、
　上記吸収材本体と装着者下着との間に設けられた液体不透過性防止片を有し、
　通常は装着者の会陰部に対応している会陰部を備えた生理用ナプキンであって、上記透過層の少くとも一部分が上記身体接触面の下に有って、該ナプキンの会陰部において、間隔を置いて上記カバーに接合されていて、該透過層の残りの部分より高密度になってはいるが、なお、上記カバー上の透過部と同様な透過性を持つ区域を作り出し、かつ、この区域が上記会陰部面積の０．１２％を越えないことを特徴とする生理用ナプキン。」（特許請求の範囲の請求項１）
　ウ−１−２．「この吸収剤本体中には、液保留性の高い主要吸収材部と、少なくとも、この主吸収材と液浸透性カバーとの間の、ある位置に設けられた感触改善性部分とが包含されている。この改善性部はカバーに接合されていて、部分的に緊密にこれと接着し、高密度になっている。これによって、液体の透過経路が設定されて、液体は主要吸収材部に透過される。」（公報第３頁左下欄第１１〜１９行）
　ウ−１−３．「カバー１０を感触改善層１４の透過層１４ａに接合すると、透過部１４ａの特性に変化が生じて、圧縮密度の高い透過体２１ができ、この高密度は透過体２１が接合点１１から外側に遠ざかるにつれて、この透過部１４ａの深さ全体において、次第に低くなっている。」（公報第４頁左下欄第１７行〜右下欄第３行）
　甲第２号証の２は甲第２号証の１に記載の実開平３−３３６２２号の内容を記載するマイクロフィルムであるから、甲第２号証の２について、その記載内容を以下に示す。
　ウ−２−１．「マット状の吸液性コアと、該コアの下面に位置させて該コアの両横側部の上面へ折り返した不透過性バックシートと、少なくとも該コアの上面および該バックシートの前記折り返し部の上面に位置させた透液性トップシートとを有し、該トップシートの縦方向両端をシールした生理用ナプキンにおいて、前記トップシートの下面と前記コアの上面との間に親水性不織布ネットを介在させてあることを特徴とする前記ナプキン。」（実用新案登録請求の範囲の請求項１）
　ウ−２−２．「トップシートの或る域の上面に排泄された経血がその域における不織布ネットの孔群を通るとともに該孔群を画成する繊維束の毛細管作用による浸透で迅速にコアに吸収される、つまり迅速にスポット吸収される。」（第４頁第３〜７行）
　ウ−２−３．「トップシートとコアとの間に親水性不織布ネットが介在しているから、トップシートからコアへのスポット吸収および毛細管作用による吸収能が改善され、トップシートにおける経血吸収口が拡散せず、」（第７頁第１４〜１８行）
　
　エ．判断
（主張１について）
　本件請求項１に係る発明においては、トップシートとアブソーバントパッドの間に配置された液体搬送帯は、薄膜要素に強く圧縮されたエンボス部を有するエンボスパターンを有するものであり、このエンボス部は不織布からなる上記薄膜要素を強く圧縮することにより形成（本件特許明細書の段落【0007】）されたものであって、液体を通過する毛細管を備えないものであり、本件請求項１に係る発明において、毛細管を有するのは、本件請求項３などで規定するスクリーンパターンである（本件明細書の段落【0018】）ところ、甲第１号証に記載の「接合」部は、その他の部分と比べて高密度になっており、そのことにより、液体の通過経路が設定されて、液体は主要吸収材部に透過されるもの（上記ウ−１−２）であって、本件請求項１に係る発明におけるエンボス部に相当するものは、甲第１号証には記載されていない。まして、このエンボス部を特定の配列とすることにより、液体排出物のアブソーバントパッドの横端部方向への搬送が長手方向と比較して抑制されることについては全く記載するところがないので、甲第１号証に、本件請求項１に係る発明が記載されているとすることはできず、申立人の主張１は採用できない。
　
（主張２について）
　上記のとおり、甲第１号証には、エンボス部に相当するものの記載も、その配列を特定のものとすることにより、厚さ方向ではなく、平面方向についての液体排泄物の搬送を規制することについても何も記載するところがないので、当業者が甲第１号証に記載された発明に基づいて、本件請求項１に係る発明を容易にすることができたものとはいえず、申立人の主張２は採用できない。
　
（主張３について）
　本件請求項２に係る発明は、本件請求項１に係る発明をさらに技術的に限定するものであるから、上記と同様の理由により、甲第１号証に記載された発明から、当業者が容易に発明し得たものではない。
　つぎに、甲第２号証の２（以下、単に「甲第２号証」という。）は、トップシートと吸収性コアとの間に位置する親水性不織布ネットを有する吸収性物品に係る発明を記載するが、この親水性不織布ネットは、もっぱら厚さ方向の吸収能を改善するものであって、平面方向の液体排出物の搬送については、なにも記載するところがないので、本件請求項２に係る発明を甲第２号証に記載された発明に基づいて、当業者が容易に発明をすることができたものとは認められない。
　また、訂正前の本件請求項８及び９は、訂正により削除された。
　したがって、申立人の主張３も採用できない。
　
（主張４について）
　申立人は、本件請求項２に記載の「エンボス部は・・・複数の断続線を有する」とはどのような構成を意味しているのか全く理解できず、とくに「断続線」の意味が不明である、と主張するが、上記訂正の結果、「エンボス部」は「エンボスパターン」と訂正されたので、上記箇所は、エンボス部が断続して並ぶ有り様を記載したものであることが明らかとなったので、申立人のこの点についての主張４も採用できない。
　
オ．むすび
　したがって、本件特許は、特許異議申立ての理由及び証拠によっては取り消すことができない。
  また、他に本件発明の特許を取り消すべき理由を発見しない。
　
　よって、結論のとおり決定する。
【異議決定日】
平成１５年２月５日（２００３．２．５）
【訂正の要旨】
訂正事項
　▲１▼　特許請求の範囲の請求項１を下記のとおり訂正する。
「　　【請求項１】
　液体透過性トップシートと、液体不透過性バックシートと、長手方向縁部と横端部を有しトップシートとバックシートの間に配置され人体からの液体排出物を吸収するアブソーバントパッドと、トップシートとアブソーバントパッドの間に配置された液体搬送帯とを備え、前記液体搬送帯は不織布を有し、前記不織布は、薄膜要素に強く圧縮されたエンボス部を有するエンボスパターンを有し、前記エンボス部は、前記エンボス部を通過する液体の搬送を規制するように配列され、それにより、液体排出物のアブソーバントパッドの横端部方向への搬送が長手方向と比較して抑制されることを特徴とする吸収性物品。」
　▲２▼　特許請求の範囲の請求項２「エンボス部」を「エンボスパターン」と訂正する。
　▲３▼　特許請求の範囲の請求項８，９および１０を削除する。
　▲４▼　特許明細書の第９頁段落００１９の第８行ないし第１１行の「ここで使用される用語「エンボスパターン（ｅｍｂｏｓｓｅｄ　ｐａｔｔｅｒｎ）」は直線、曲線、あるいはこれら線の連続および／または断続線、あるいは長手方向に主に傾向つけられた他のパターンを含み、またこれらに限定されない」を「ここで使用される用語「エンボスパターン（ｅｍｂｏｓｓｅｄ　ｐａｔｔｅｒｎ）」は直線、曲線、あるいはこれら線の連続および／または断続線のパターン、あるいは長手方向に主に傾向つけられた他のパターンを含み、またこれらに限定されない」と訂正する。
　▲５▼　特許明細書の第９頁段落００１９の第１４行の「エンボスパターン２７」を「細い楕円２７」と訂正する。
（５４）【発明の名称】
迅速な液体搬送帯を備える吸収性物品
（５７）【特許請求の範囲】
　【請求項１】
　液体透過性トップシートと、液体不透過性バックシートと、長手方向縁部と横端部を有しトップシートとバックシートの間に配置され人体からの液体排出物を吸収するアブソーバントパッドと、トップシートとアブソーバントパッドの間に配置された液体搬送帯とを備え、前記液体搬送帯は不織布を有し、前記不織布は、薄膜要素に強く圧縮されたエンボス部を有するエンボスパターンを有し、前記エンボス部は、前記エンボス部を通過する液体の搬送を規制するように配列され、それにより、液体排出物のアブソーバントパッドの横端部方向への搬送が長手方向と比較して抑制されることを特徴とする吸収性物品。
　【請求項２】
　エンボスパターンはアブソーバントパッドの長手方向縁部に主に向けられた複数の断続線を有することを特徴とする請求項１に記載の吸収性物品。
　【請求項３】
　不織布はアブソーバントパッドの長手方向縁部に主に向けられた高繊維密度部を備えたスクリーンパターンを有することを特徴とする請求項１に記載の吸収性物品。
　【請求項４】
　スクリーンパターンは連続パターンを有することを特徴とする請求項３に記載の吸収性物品。
　【請求項５】
　連続パターンは複数の平行ラインを有することを特徴とする請求項４に記載の吸収性物品。
　【請求項６】
　連続パターンは複数の菱形を有する格子パターンを有し、各菱形は長軸および短軸を有し、長軸はアブソーバントパッドの長手方向縁部に向いていることを特徴とする請求項４に記載の吸収性物品。
　【請求項７】
　エンボスパターンは格子パターンの菱形の内部に位置する断続線を有することを特徴とする請求項６に記載の吸収性物品。
【発明の詳細な説明】
　【０００１】
　【産業上の利用分野】
　本発明は新規な吸収性物品に関し、詳しくは生理用品、生理用ナプキンまたは吸収シート等に関する。ここで用語「吸収性物品」とは体からの排出物を吸収し保持する物品であって、さらに詳細には体から排出された多様な排出物を吸収し保持するために着用者の体に対向しまたは接近して配置される用品に関する。
　【０００２】
　【従来の技術】
　体液例えばメンス、尿、排泄物などの吸収を図るよう形成された様々な態様の吸収性物品はよく知られるところである。一般に吸収性物品は液体透過性のトップシート、液体不透過性のバックシート、そしてトップシートとバックシートとの間に配置されたアブソーバントコアまたはパッドとを備える。着用者の体からの排出物は容易にトップシートを通過してアブソーバントコアに保持される。さらに付加層あるいは複数の付加層がこれら層の間に介在することもある。こうした付加層は排出物の迅速な搬送をつかさどることがある。
　【０００３】
　こうした付加層はアブソーバントコアへの排出物の拡散性を改良する。液体排出物の改良された拡散性が重要となるのは幾つかの理由があり、例えば、アブソーバントコア全体にわたって液体排出物の搬送を図るということに加えて、吸収性物品を比較的薄く製作することを可能にするということがある。ここで拡散性とは一方向、二方向あるいは全方向（即ち、ｘーｙの平面方向および／またはｚ方向）への液体の輸送を包含する。こうした搬送層は不織布や合成繊維の織布を含む幾つかの異なる材料から構成することができる。いくつかの参考文献にこうした目的のための層を有する吸収性物品が開示されている。例えば液体獲得層およびトップシートを備える生理用ナプキンがオズボーン（Ｏｓｂｏｒｎ）に発行された米国特許４，９５０，２６４に、またクリー（Ｃｒｅｅ）等の名で１９９１年１２月１７日に出願された米国特許出願番号０７／８１０，７７４号、「Ａｂｓｏｒｂｅｎｔ　Ａｒｔｉｃｌｅ　Ｈａｖｉｎｇ　Ｆｕｓｅｄ　Ｌａｙｅｒｓ」に詳しく開示されている。
　【０００４】
　【発明が解決しようとする課題】
　しかしながら、長手方向に高い液体の拡散度を有する一層改良された液体の搬送層が望まれている。これは一般に不織布の液体の拡散速度が方向によらずほぼ一定であるからである。不織布が一般にアブソーバントコアのカバーシートあるいはトップシートとして生理用ナプキンに使用された場合、多量の液体が横（幅）方向に拡散されてしまうことがある。横漏れは、アブソーバントコアの横方向の液体吸収容量を越えて液体が蓄えられた場合、時として生ずる。
　【０００５】
　本発明は改良された拡散性と、生理用ナプキンの長手方向縁部への液体の優れた搬送を示す液体搬送帯を提供することを目的とする。また、生理用ナプキンの横端部への液体の搬送を抑制する液体搬送帯を提供することを目的とする。
　【０００６】
　さらに、この発明は改良された搬送帯を有する吸収性物品を提供することを目的とする。
　【０００７】
　【課題を解決するための手段】
　この発明は吸収性物品であって、迅速な液体搬送帯を有し、液体排出物の改良された搬送あるいは拡散性をもつ迅速な液体搬送帯を有する例えば生理用ナプキン、使い捨ておむつ、失禁用パッドを提供する。こうした吸収性物品は、液体透過性のトップシート、液体不透過性のバックシート、アブソーバントパッド、そして、液体搬送帯を備える。アブソーバントパッドはトップシートおよびバックシートの間に配置されており長手方向縁部を有する。液体搬送帯はトップシートおよびアブソーバントパッドの間に配置される。液体搬送帯は不織布を有し、不織布は繊維間の間隙が狭められた高繊維密度部を備えるスクリーンパターンを有し、あるいは繊維が高く圧縮されたエンボス部を備えるエンボスパターンを有し、あるいはまたスクリーンパターンとエンボスパターンの両方を有する。スクリーンパターンの高繊維密度部はアブソーバントパッドの長手方向縁部に主に傾向付けられており液体を長手縁部に搬送する。エンボスパターンの繊維の高圧縮部はアブソーバントパッドの長手方向縁部に主に傾向付けられており、横端部への液体の搬送を抑制する。
　【０００８】
　【実施例】
　図１に示されるように、吸収性物品１は通常実質的に全体に長方形状を有するが、端縁部は各々円弧状部５として形成されることがある。吸収部材４は一般にバックシート３よりも小さく、実質的に長方形状を有するが、バックシート３の円弧状部５にならい端縁部が円弧状部６として形成されることがある。吸収部材としてのアブソーバントパッド４の長手側部７は内側に湾曲され、中央部分が若干狭く形成されてもよい。
　【０００９】
　吸収性物品１は２本のセンターラインつまり長手センターラインと横断センターラインを有する。ここで用語「長手（ｌｏｎｇｉｔｕｄｉｎａｌ）」とは一般に吸収性物品１が装着された際、立姿勢の体を左右に二分する垂直線に揃う（例えば、ほぼ平行に）吸収性物品１の平面上の線、軸、あるいは方向を言う。ここで使用される用語「横断（ｔｒａｎｓｖｅｒｓｅ）」または「横（ｌａｔｅｒａｌ）」は置換可能であり、長手方向に一般に垂直な吸収性物品１の平面上の線、軸、あるいは方向を言う。
　【００１０】
　トップシートは一般にアブソーバントパッドの装着者側表面を完全に覆うように形成される。好ましくは、トップシートはアブソーバントパッドの周縁を越えて延出し、またはアブソーバントパッドの横端部を巻き込み、アブソーバントパッドの周縁を取り囲む状態でバックシートに固着されてもよい。
　【００１１】
　図１に本発明による吸収性物品１の一実施例が示される。吸収性物品１は、液体透過性のトップシート２、液体不透過性のバックシート３、これらの間に介在される人体からの液体排出物を吸収するためのアブソーバントパッド４、そして一般に長手方向に液体排出物を搬送する液体搬送帯１０を備える。用語「一般に長手方向（ｇｅｎｅｒａｌｌｙ　ｌｏｎｇｉｔｕｄｉｎａｌ）」とはここでは、長手センターラインより傾斜した方向を包含する意図で使用される。用語「主に（ｐｒｉｍａｒｉｌｙ）」はここでは用語「一般に（ｇｅｎｅｒａｌｌｙ）」と同様に特定の方向や角度に限定しない意図で使用される。好ましい吸収性物品１は付加的に第２層をトップシート２とバックシート３との間に有する。
　【００１２】
　トップシート２、バックシート３、そしてアブソーバントコア４はよく知られた多様な構成（いわゆるチューブ型製品あるいはサイドフラップ（ｓｉｄｅ　ｆｌａｐ）製品を含む）に組み立てることができるのであるが、好ましい生理用ナプキンの構成としては一般に１９９０年８月２１日にオズボーン（Ｏｓｂｏｒｎ）に発行された米国特許４，９５０，２６４号の「Ｔｈｉｎ，Ｆｌｅｘｉｂｌｅ　Ｓａｎｉｔａｒｙ　Ｎａｐｋｉｎ」、１９８４年１月１０日にデスマライス（ＤｅｓＭａｒａｉｓ）に発行された米国特許４，４２５，１３０号の「Ｃｏｍｐｏｕｎｄ　Ｓａｎｉｔａｒｙ　Ｎａｐｋｉｎ」、１９８２年３月３０日にアール（Ａｈｒ）に発行された米国特許４，３２１，９２４号の「Ｂｏｒｄｅｒｅｄ　Ｄｉｓｐｏｓａｂｌｅ　Ａｂｓｏｒｂｅｎｔ　Ａｒｔｉｃｌｅ」、１９８７年８月１８日にヴァン　ティルバーグ（Ｖａｎ　Ｔｉ　ｌｂｕｒｇ）に発行された米国特許４、６８７、４７８号の「Ｓｈａｐｅｄ　Ｓａｎｉｔａｒｙ　Ｎａｐｋｉｎｓ　Ｗｉｔｈ　Ｆｌａｐｓ」に開示されている。これら各特許は参照としてここに合体させ、その開示をもって説明にかえる。図１には、トップシート２とバックシート３の長さおよび幅の寸法がアブソーバントコア４のそれらよりも一般に大きい生理用ナプキンの好ましい実施例が示される。トップシート２とバックシート３はアブソーバントコア４の端縁を越えて延出してもよく、この場合延出部分によって周縁部の一部を構成するほかサイドフラップを形成してもよい。
　【００１３】
　本発明の好ましい実施例では、搬送帯１０はトップシート２とアブソーバントコア４の間に配置される。また他の本発明の好ましい実施例では、搬送帯１０はトップシート２と、アブソーバントコア４の上に配置され第２層として機能するエアーレイドティッシュ（ａｉｒーｌａｉｄ　ｔｉｓｓｕｅ）との間に配置されている。搬送帯１０はアブソーバントコア４の長手方向縁部４ｂの間にある中央部分４ａ近傍であって、アブソーバントコア４の側端部の間の略中央部分に配置される。搬送帯１０はアブソーバントコア４の長手方向長さに沿ってコアの内側に向けて液体の透過と搬送とをつかさどる。
　【００１４】
　本発明の搬送帯１０は図１ないし図３に示される。好ましい実施例では、搬送帯１０は平面視において長方形状を有する帯体である。とはいえ、搬送帯が帯状である必要がないことは理解されるべきである。ここで使用される用語「帯（ｓｔｒｉｐ）」は単一の折り畳まれていないシートまたはシート群、折り畳まれたシート、素材の帯または帯群、緩いあるいは結合された繊維群を持つシート、複数層や素材のラミネート、あるいは他のこうした素材群の組み合わせ等を含み、またこれらに限定されない。さらに、搬送帯１０は長方形状である必要はない。ここで使用される用語「帯（ｓｔｒｉｐ）」はまた、長方形状、ドックボーン（ｄｏｇーｂｏｎｅ）形状、砂時計（ｈｏｕｒｇｌａｓｓ）形状、三角形状を含み、かつこれらに限定されない。
　【００１５】
　搬送帯１０の幅は、幅が約６０ｍｍのアブソーバントコア４には、好ましくは約２０ｍｍから約４０ｍｍ、より好ましくは３０ｍｍとする。搬送帯１０の幅とアブソーバントコア４の幅との比は、液体拡散性の度合いと、アブソーバントコア４の吸収容量により様々な態様を取る。この比は好ましくは、１：６から５：６、より好ましくは２：５から７：１０である。搬送帯１０の長さは好ましくはアブソーバントコア４の長手方向における長さよりも短いことが望ましい。長手方向の長さが約１８０ｍｍであるアブソーバントコア４には、搬送帯１０の長さは好ましくは約１１０ｍｍである。こうした搬送帯の形状や大きさは、製品の性能、製造工程、審美性等の観点から決められることが見いだされている。
　【００１６】
　搬送帯１０は長手方向に主に傾向付けられた可視パターン１１を表面に有する不織布を備える。可視パターン１１は本発明の搬送帯１０における液体の搬送方向を、均一な繊維密度と均一な構成を備える不織布が本来示す傾向より離れて性格付ける。一般に不織布材料は全方向（即ちｘーｙ平面方向およびｚ（鉛直）方向）にわたって同じ度合いで液体の移送を行う。
　【００１７】
　可視パターン１１はスクリーンパターン（ｓｃｒｅｅｎ　ｐａｔｔｅｒｎ）１３またはエンボスパターン（ｅｍｂｏｓｓｅｄ　ｐａｔｔｅｒｎ）１５のいずれであってもよいが、好ましくはスクリーンパターン１３とエンボスパターン１５との組み合わせである。図３に示されるように、スクリーンパターン１３は、ナプキンの長手方向縁部に向けて長手方向に主に傾向付けられた高繊維密度部１７を備える。高繊維密度部１７は不織布がｚ方向つまり垂直方向に圧縮された不織布の一部である。好適な実施例ではスクリーンパターン１３は、長軸２３および短軸を備える菱形２１より構成される格子パターン１９を備える。ここで用いられるスクリーンパターンは、実質的に平行な複数のライン、あるいは長辺および短辺の要素の繰り返しを有する複数のライン、ヘリンボーンパターン、さらにはこうしたラインあるいはパターンの連続および／または断続パターン、さらに長手方向に主に傾向付けられたこうしたパターンの組み合わせを含み、またこれらに限定されない。
　【００１８】
　スクリーンパターンはメルトブロウ（ｍｅｌｔｂｌｏｗｎ）不織布に繊維を結合する過程にて形成することができる。製造上その結合工程にて、溶融した熱可塑性プラスティック樹脂は、高速のガス流により押し出し機（ｅｘｔｒｕｄｅｒ）のダイチップ（ｄｉｅ　ｔｉｐ）からコンベヤあるいは捕集スクリーン上に飛ばされる。こうした工程において、図３に示すように、コンベヤあるいは捕集スクリーンの輪郭が反映された表面が、不織布に凹状のスクリーンパターン１３を形成することになる。この凹状のスクリーンパターン１３においては不織布の残りの部分に比べて繊維が相互に一層接近しており繊維の密度が比較的高い。凹状のスクリーンパターン１３は優れた毛管現象を発現するための繊維間の間隙が狭い高繊維密度部を備えており、もって凹部においては圧縮されていない部分１８に比べて液体搬送速度が速くなる。この実施例の搬送帯１０は格子パターン１９を有し、各菱形の長軸２３が長手方向に向けられているので、長手方向における液体の搬送度は横方向の搬送度を上回っている。
　【００１９】
　可視パターン１１のエンボスパターン１５は不織布の繊維が高く圧縮された薄膜要素２５のある部位を備え、エンボスパターン１５を通過する液体の搬送を抑制する。好適な実施例では、エンボスパターン１５は、不織布の繊維が高く圧縮された、あるいは押圧された、あるいはさらに穿孔された細い楕円２７を備える。細い楕円２７は搬送帯全体にわたって規則的な間隔で配置されており、より好適には中央部分および横端部の近傍に配置される。各細身の楕円２７は好ましくは長手方向に傾向つけられる。とはいえ、エンボスパターン１５は長手方向に傾向付けられた細身の楕円２７に限らない。ここで使用される用語「エンボスパターン（ｅｍｂｏｓｓｅｄ　ｐａｔｔｅｒｎ）」は直線、曲線、あるいはこれら線の連続および／または断続線のパターン、あるいは長手方向に主に傾向つけられた他のパターンを含み、またこれらに限定されない。エンボスパターンは一対のエンボスローラーにより不織布の一部に、圧力および熱エネルギを一方の表面、好ましくは両方の表面に付与することで形成される。エンボス部の薄膜要素２５はエンボス部を通過する液体の搬送を規制し実質的には細い楕円２７を迂回するように総ての液体を搬送させる。
　【００２０】
　以上のスクリーンパターン１３とエンボスパターン１５との組み合わせは優れた液体の搬送特性を長手方向に示す。これは、スクリーンパターン１３における優れた長手方向への液体の拡散性とエンボスパターン１５における横方向への液体の搬送の規制とによる。スクリーンパターン１３とエンボスパターン１５はまたランダムに組み合わせることができる。好適な実施例では、エンボスパターン１５は、スクリーンパターン１３の凹状ライン要素１３ａの間に組み合わされており、スクリーンパターン１３とエンボスパターン１５との異なる特性を組み合わせた優れた液体搬送性が示される。
　【００２１】
　搬送帯１０は、良好な搬送性と液体の吸収拡散性とを発現させるため好ましくは親水性である。搬送帯を構成する繊維（ｆｉｂｅｒｓ）あるいはヤーン（ｙａｒｎｓ）は元々親水性とすることもできるが、この場合、表面を親水性にする処理をすることが好ましい。繊維を親水性にする好ましい材料としては表面活性剤による処理がある。繊維は親水性の搬送帯１０を構成するためスプレー処理されたり、あるいは表面活性剤に材料が浸される。こうした処理や親水性についての詳細はレイジン（Ｒｅｉｓｉｎｇ）等に発行された米国特許４，９８８，３４４号、レイジン（Ｒｅｉｓｉｎｇ）に発行された米国特許４，９８８，３４５号にそれぞれ開示されている。
　【００２２】
　搬送帯１０は織布あるいは不織布材料より形成することができる。材料は合成繊維でも、一部が合成で一部が天然の材料でもよい。好ましい合成繊維はポリエステル（ｐｏｌｙｅｓｔｅｒ）、ポリプロピレン（ｐｏｌｙｐｒｏｐｙｌｅｎｅ）、ナイロン（ｎｙｌｏｎ）、ビスコースレーヨン（ｖｉｓｃｏｓ　ｒａｙｏｎ）繊維、あるいはセルロースアセテート（ｃｅｌｌｕｌｏｓｅ　ａｃｅｔａｔｅ）、ポリエステル繊維との混合である。好ましい天然繊維としては綿、セルロース、あるいは他の天然繊維がある。搬送帯１０は少なくとも部分的にクロスリンクされたセルロース繊維を備えることもできる。好適なクロスリンクされたセルロース繊維はクック（Ｃｏｏｋ）等に１９８９年１２月１９日に発行された米国特許４，８８８，０９３号、ディーン（Ｄｅａｎ）等に１９８９年４月１８日に発行された４，８２２，５４３号、ショゲン（Ｓｃｈｏｇｇｅｎ）等に１９８９年１２月２６日に発行された米国特許４，８８９，５９５号、ムーア（Ｍｏｏｒ）等に１９８９年２月６日に発行された米国特許４，８９８，６４２号、そしてラッシュ（Ｌａｓｈ）等に１９９０年６月１９日に発行された米国特許４，９３５，０２２号に開示されている。こうした天然のあるいは変化された繊維の量は、しかしながら、トップシートが他の残部における合成繊維に適当に溶融できなくなるほど多量であるべきではない。搬送帯はまた毛細管路繊維（ｃａｐｉｌｌａｒｙ　ｃｈａｎｎｅｌ　ｆｉｂｅｒｓ）、つまり好ましくは外表面に管路を構成する繊維を備えることもできる。こうした繊維は１９９０年１０月１０日に発刊されたＥＰＯ特許出願０，３９１，８１４号やこうした毛細管路繊維の特許出願明細書に詳細に開示されている。搬送帯はまた以上の材料の組み合わせ、つまりアブソーバントコアに使用される後述の構成と類似した繊維の混合など、さらにはいかなる均等な材料や材料の組み合わせから構成されてもよい。
　【００２３】
　搬送帯１０は不織布であれば多種の異なる製造工程、例えばスパンボンディング（ｓｐｕｎｂｏｎｄｉｎｇ）やカーディング（ｃａｒｄｉｎｇ）により形成することができる。なお、これら例に限定されない。より好適な実施例においては、搬送帯はメルトブロウ不織布により構成される。好ましくは、搬送帯は、基本的な重さが約５０ないし１００ｇｍｓ／ｍ２、より好ましくは約９０ｇｍｓ／ｍ２のポリエチレン製メルトブロウ不織布を有する。こうしたタイプのメルトブロウ繊維はスコットノンウエヴェン（Ｓｃｏｔｔ　Ｎｏｎｗｏｖｅｎｓ；Ｓｃｏｔｔ　Ｐａｐｅｒ　Ｃｏｍｐａｎｙ，Ｐｈｉｌａｄｅｌｐｈｉａ，Ｐｅｎｎｓｙｌｖａｎｉａ，ｔｈｅ　Ｕ．Ｓ．Ａ．）より製造されている。メルトブロウ不織布は、繊維間に微小の間隙をつくりだし液体の拡散性を生ずる線径の細い繊維より構成される。搬送帯を構成する繊維またはヤーンは様々な繊維長、つまり所定長から連続フィラメントとすることができる。繊維は好ましくは１．０以下のデニール、より好適には平均で約０．５２デニールを有する。
　【００２４】
　この実施例の好適な搬送帯の材料の繊維はポリエチレン樹脂より形成される。ポリエチレン樹脂より形成された好ましいトップシートは搬送帯の溶融接合を容易にする。この好適な実施例においては、搬送帯はトップシートに接触関係に関係付けられるが、これはいかなる公知の繊維あるいは布間の接合法によっても行われる。例えば機械接合、接着固定手段が接合法として挙げられるが、より好ましくはクリー（Ｃｒｅｅ）等の名で出願された米国特許シリアル番号０７／８１０，７７４号に開示されている溶融接合がある。溶融接合には熱接合、超音波接合等が含まれる。
　【００２５】
　図４に示す本発明の他の実施例においては、搬送帯３０はメルトブロウあるいはスパンボンドの不織布であり、吸収性物品の長手方向における液体の搬送性を向上させる。特定の好適な搬送帯３０は長手方向に傾向付けられたエンボスメント（ｅｍｂｏｓｓｍｅｎｔｓ）あるいはコンプレスメント（ｃｏｍｐｒｅｓｓｍｅｎｔｓ）のシリーズを備える。この実施例では、長手方向に傾向付けられたエンボスメントあるいはコンプレスメントのシリーズは菱形３３をもつ格子パターン３１から形づくられる。搬送帯３０の大きさと形は製品の性能、審美的観点からの要求により決定される。好ましくは搬送帯３０の寸法はｚ方向の厚みつまりキャリパー（ｃａｌｉｐｅｒ）が約０．５５ｍｍから０．５８ｍｍ、幅が約３０ｍｍ、長さが約１１０ｍｍである。
　【００２６】
　吸収性物品の長手端縁部５は典型的にはトップシート２とバックシート３とが適当なシール８好ましくはヒートシールにより結合された構成をとり、付加的に不織布層１５が介在することもある。
　【００２７】
　バックシート３とトップシート２、さらに適用可能ないかなる付加的な不織布層１５も、当該技術分野において公知の固定手段によりアブソーバントコア４に固定することができる。例えば、バックシート３および／またはトップシート２は、均一な連続した接着剤の層、あるいは所定模様に形づくられた接着剤の層、あるいは接着剤の独立したラインの並び、スパイラル、スポット状に適用する接着剤により相互に接合することができる。満足できる接着剤としてはＨ．Ｂ．フューラーカンパニー（Ｈ．Ｂ．Ｆｕｌｌｅｒ　Ｃｏｍｐａｎｙ；Ｓｔ．Ｐａｕｌ，Ｍｉｎｎｅｓｏｔａ）により指定番号ＨＬー１２５８あるいはＨー２０３１のもとで製造されるものがある。固定手段は好ましくは、１９８６年３月４日にミネトラ（Ｍｉｎｅｔｏｌａ）等に発行された米国特許４，５７３，９８６「Ｄｉｓｐｏｓａｂｌｅ　Ｗａｓｔｅ−Ｃｏｎａｉｎｍｅｎｔ　Ｇａｒｍｅｎｔ」に記載の接着剤のフィラメント（ｆｉｌａｍｅｎｔｓ）の開放パターンネットワークが好ましくは使用される。この特許は参照文献としてここに合体され、その説明を省略する。典型的な接合手段としての接着剤のフィラメント（ｆｉｌａｍｅｎｔｓ）の開放パターンネットワークは、１９７５年１０月７日にスプレージ（Ｓｐｒａｇｕｅ．Ｊｒ．）に発行された米国特許３，９１１，１７３号、さらに１９７８年１１月２２日にゼイカー（Ｚｉｅｃｋｅｒ）等に発行された米国特許４，７８５，９９６号、あるいは１９８９年６月２７日にウレニクツ（Ｗｅｒｅｎｉｃｚ）に発行された米国特許４，８４２，６６６号に開示されている、複数列の接着剤のフィラメントがスパイラルパターンに巻かれている物がある。上記の米国特許はここに参照として合体され、その開示をもって説明にかえる。代替的な固定手段としては、熱接合、加圧接合（ｐｒｅｓｓｕｒｅ　ｂｏｎｄｓ）、超音波接合、機械的接合（ｄｙｎａｍｉｃ　ｍｅｃｈａｎｉｃａｌ　ｂｏｎｄｓ）、あるいは適当な他の固定手段、さらにはこれら当該技術分野において知られた固定手段の組み合わせが挙げられる。
　【００２８】
　トップシート２は柔軟で、ソフトな使用感があり、着用者の皮膚に対する刺激性がないものである。また、トップシート２は液体（例えばメンスおよび／または尿）がトップシート２の厚みを簡単に透過する液体透過性を有する。好適なトップシート２は幅の広い範囲の材料の中から製造することができ、例えばその材料として、織布や不織布材料、開口熱可塑性プラスティックフィルム（ａｐｅｒｔｕｒｅｄ　ｆｏｒｍｅｄ　ｔｈｅｒｍｏｐｌａｓｔｉｃ　ｆｉｌｍｓ）、開口プラスティックフィルム（ａｐｅｒｔｕｒｅｄ　ｐｌａｓｔｉｃ　ｆｉｌｍｓ）、そしてハイドロフォームド（ｈｙｄｒｏｆｏｒｍｅｄ）熱可塑性プラスティックフィルム、多穴フォーム（ｐｏｒｏｕｓｆｏａｍｓ）、網状フォーム（ｒｅｔｉｃｕｌａｔｅｄ　ｆｏａｍｓ）、網状熱可塑性プラスティックフィルム（ｒｅｔｉｃｕｌａｔｅｄ　ｔｈｅｒｍｏｐｌａｓｔｉｃ　ｆｉｌｍｓ）、そして熱可塑性プラスティック布（ｔｈｅｒｍｏｐｌａｓｔｉｃ　ｓｃｒｉｍｓ）が挙げられる。適当な織布や不織布材料としては天然繊維（例えばウッド（ｗｏｏｄ）またはコットン繊維（ｃｏｔｔｏｎ　ｆｉｂｅｒｓ）、合成繊維（例えばポリメリック繊維（ｐｏｌｙｍｅｒｉｃ　ｆｉｂｅｒｓ）つまりポリエステル、ポリプロピレン、またはポリエチレン繊維）、あるいは天然繊維と合成繊維の組み合わせが挙げられる。好ましいトップシート２は、開口成型フィルム（ａｐｅｒｔｕｒｅｄ　ｆｏｒｍｅｄ　ｆｉｌｍ）を備える。開口成型フィルムは、トップシートとして好まれるが、これは開口成型フィルムが体の排出物の透過性があり、しかも吸収性がなく、液体が逆戻りし着用者の肌を再び濡らす（ｒｅｗｅｔ）という傾向を減少させるからである。したがって、成型フィルムによれば使用者の体に接触する表面が乾燥状態に維持され、これによって体の汚れが減少され、使用者にとってより快適な使用感がつくりだされる。このましい成型フィルムは、１９７５年１２月３０日にトンプソン（Ｔｈｏｍｐｓｏｎ）に発行された米国特許３，９２９，１３５号「Ａｂｓｏｒｂｔｉｖｅ　Ｓｔｒｕｃｔｕｒｅｓ　Ｈａｖｉｎｇ　Ｔａｐｅｒｅｄ　Ｃａｐｉｌｌａｒｉｅｓ」、１９８２年４月１３日にミュラン（Ｍｕｌｌａｎｅ）等に発行された米国特許４，３２４，４２６号「Ｄｉｓｐｏｓａ　ｂｌｅ　Ａｂｓｏｒｂｅｎｔ　Ａｒｔｉｃｌｅ　Ｈａｖｉｎｇ　Ａ　Ｓｔａｉｎ−Ｒｅｓｉｓｔａｎｔ　Ｔｏｐｓｈｅｅｔ」、１９８２年８月３日にラデル（Ｒａｄｅｌ）等に発行された米国特許４，３４２，３１４号「Ｒｅｓｉｌｉｅｎｔ　Ｐｌａｓｔｉｃ　Ｗｅｂ　Ｅ　ｘｈｉｂｉｔｉｎｇ　Ｆｉｂｅｒ−Ｌｉｋｅ　Ｐｒｏｐｅｒｔｉｅｓ」、１９８４年７月３１日にアール（Ａｈｒ）等に発行された米国特許４，４６３，０４５号「Ｍａｃｒｏｓｃｏｐｉｃａｌｌｙ　Ｅｘｐａｎｄｅｄ　Ｔｈｒｅｅ−Ｄｉｍｅｎｔｉｏｎａｌ　Ｐｌａｓｔｉｃ　Ｗｅｂ　Ｅｘｈｉｂｉｔｉｎｇ　Ｎｏｎ−Ｇｌｏｓｓｙ　Ｖｉｓｉｂｌｅ　Ｓｕｒｆａｃｅ　ａｎｄ　Ｃｌｏｔｈ−Ｌｉｋｅ　Ｔａｃｔｉｌｅ　Ｉｍｐｒｅｓｓｉｏｎ」、そして１９９１年４月９日にバード（Ｂａｉｒｄ）に発行された米国特許５，００６，３９４号「Ｍｕｌｔｉｌａｙｅｒ　Ｐｏｌｙｍｅｒｉｃ　Ｆｉｌｍ」が挙げられる。これらの特許はいずれも参照文献として合体させ、その開示をもって説明にかえる。本発明のための好ましいトップシートとしては上記特許の一つまたはそれ以上に開示されている成型フィルムであって、ザ　プロクター　＆　ギャンブル　カンパニーニー（シンシナティ、オハイオ）により製造される生理用ナプキンの「ドライウイーブ（Ｄｒｉ−Ｗｅａｖｅ）」として売られるものがある。
　【００２９】
　加えて、本発明の好適な実施例では、トップシートとしての成型フィルムの少なくとも使用者の体に向く面が親水性を示しており、表面が親水性でないのに比べ、トップシートにおける液体の透過を速め、メンス（ｍｅｎｓｔｒｕａｌ　ｆｌｕｉｄｓ）がアブソーバントコアに吸収されるよりもトップシートを伝ってしまうおそれを減少させる。好適な実施例では、親水性付与のための表面活性剤はトップシートとしての成型フィルムのポリメリック材料（ｐｏｌｙｍｅｒｉｃ　ｍａｔｅｒｉａｌ）に、例えばアジツ（Ａｚｉｚ）等により１９９１年１１月１９日に出願された米国特許シリアル番号０７／７９４，７４５号「Ａｂｓｏｒｂｅｎｔ　Ａｒｔｉｃｌｅ　Ｈａｖｉｎｇ　Ａ　Ｎｏｎｗｏｖｅｎ　ａｎｄ　Ａｐｅｒｔｕｒｅｄ　Ｆｉｌｍ　Ｃｏｖｅｒｓｈｅｅｔ」に開示されているごとく処理される。この特許出願は参照文献としてここに合体される。代替的に、トップシートの人体側表面は、ここに参照文献として合体される先に参照したオズボーンに発行された米国特許４，９５０，２５４号に開示されているごとく表面活性剤の処理により親水性に施されてもよい。
　【００３０】
　バックシート３は液体（例えばメンスおよび／または尿）に対して不透過性であり好ましくは薄いプラスティックフィルムから製造されるが、さらには他のフレキシブル（ｆｌｅｘｉｂｌｅ）な液体不透過性の材料も使用することができる。ここで使用される用語「フレキシブル」は柔軟で、一般的な形状や人間の体の輪郭に容易に対応しやすい材料を意味する。
バックシート３はさらに、アブソーバントコア４に吸収され保持された排出物が生理用ナプキンに接触している用品すなわちパンツやパジャマ、下着を濡らすのを防ぐ。バックシート３はしたがって織布あるいは不織布材料、ポリメリックフィルム（ｐｏｌｙｍｅｒｉｃ　ｆｉｌｍｓ）例えばポリエチレンやポリプロピレンの熱可塑性フィルム、あるいは複合（ｃｏｍｐｏｓｉｔｅ）材料例えばフィルムがコートされた不織布材料（ｆｉｌｍーｃｏａｔｅｄ　ｎｏｎｗｏｖｅｎ　ｍａｔｅｒｉａｌ）から構成される。好ましくは、バックシート３はポリエチレンフィルムで厚みが約０．０１２ｍｍ（０．５ｍｉｌ）から約０．０５１ｍｍ（２．０ｍｉｌ）のものである。こうした目的で使用される公知のいかなる材料もこれに利用可能である。バックシート３に使用される典型的なポリエチレンフィルムとしてはクロパイコーポレーション（Ｃｌｏｐａｙ　Ｃｏｒｐｏｒａｔｉｏｎ；Ｃｉｎｃｉｎｎａｔｉ，Ｏｈｉｏ，ｔｈｅ　Ｕ．Ｓ．Ａ．）により製造される指定番号Ｐ１８ー０４０１で特定されるもの、またエチルコーポレーション（Ｅｔｈｙｌ　Ｃｏｒｐｏｒａｔｉｏｎ；Ｖｉｓｑｕｅｅｎ　Ｄｉｖｉｓｉｏｎ，ｏｆ　Ｔｅｒｒａ　Ｈａｕｔｅ，Ｉｎｄｉａｎａ，ｔｈｅ　Ｕ．Ｓ．Ａ．）により製造される指定番号ＸＰー３９３８５で特定されるものがある。バックシートはエンボスおよび／または艶消し仕上げのより生地に近い外観を持つものが好ましい。バックシート３は、液体の排出物が通過するのを妨げながらもアブソーバントコア４から気体成分（ｖａｐｏｒｓ）が逃げるのを許す（即ち呼吸可能な（ｂｒｅａｔｈａｂｌｅ））構成が好まれる。
　【００３１】
　アブソーバントコア４は液体（例えばメンスおよび／または尿）を吸収しあるいは保持する能力のあるいかなる吸収手段も含まれる。上述したように、アブソーバントコアは多様な大きさと形状（例えば長方形、卵形状、砂時計（ｈｏｕｒｇｌａｓｓ）、ドックボーン（ｄｏｇ　ｂｏｎｅ）、非対称形状など）により製造される。またアブソーバントコア４は生理用ナプキンや他の吸収性物品に通常使用される多様な液体吸収材料、例えば通常エアーフェルトとして参照される粉砕パルプなどにより製造される。他の好適な吸収性材料の例としては、クレープトセルロースウエディング（ｃｒｅｐｅｄ　ｃｅｌｌｕｌｏｓｅ　ｗａｄｄｉｎｇ）、コフォーム（ｃｏｆｏｒｍ）を含むメルトブロウポリマー（ｍｅｌｔｂｌｏｗｎ　ｐｏｌｙｍｅｒｓ）、化学的に硬化させ変質された、あるいはクロスリンクされたセルローシックファイバ（ｃｅｌｌｕｌｏｓｉｃ　ｆｉｂｅｒｓ）、合成繊維例えばクリンプトポリエステルファイバ（ｃｒｉｍｐｅｄ　ｐｏｌｙｅｓｔｅｒ　ｆｉｂｅｒｓ）、ピートモス（ｐｅａｔ　ｍｏｓｓ）、ティッシュラミネート（ｔｉｓｓｕｅ　ｌａｍｉｎａｔｅｓ）およびティッシュラップ（ｔｉｓｓｕ　ｅ　ｗｒａｐｓ）を含むティッシュ、アブソーバントフォーム（ａｂｓｏｒｂｅｎｔ　ｆｏａｍｓ）、アブソーバントスポンジ（ａｂｓｏｒｂｅｎｔ　ｓｐｏｎｇｅｓ）、スーパーアブソーバントポリマー（ｓｕｐｅｒａｂｓｏｒｂｅｎｔ　ｐｏｌｙｍｅｒｓ）、アブソーバントジェリングマテリアル（ａｂｓｏｒｂｅｎｔ　ｇｅｌｌｉｎｇ　ｍａｔｅｒｉａｌ）、あるいは他の同等な材料、さらにはこれらの組み合わせ、これらの混合が挙げられる。アブソーバントコアの形状や構成は多様な形態をとることができる。例えば、アブソーバントコアは様々な厚みの領域（例えば中央部分で厚くなるように輪郭形成された）や、親水性の勾配、超吸収性の勾配、あるいは低密度で低い平均基本重量の吸収領域、あるいは一または複数の層あるいは構造をもつことができる。アブソーバントコアの全体の吸収容量は、吸収性物品の使用意図と吸収量の設計に合わせられる。さらに、アブソーバントコアの吸収容量と大きさは使用形態の相違、つまり失禁パッド、パンティライナー、通常の生理用ナプキン、夜用の生理用ナプキン等に適合するように様々に構成される。
　【００３２】
　好適な本発明のアブソーバントコアとして使用する吸収構造は、１９９０年８月２１日にオズボーン（Ｏｓｂｏｒｎ）に発行された米国特許「Ｔｈｉｎ，Ｆｌｅｘｉｂｌｅ　Ｓａｎｉｔａｒｙ　Ｎａｐｋｉｎ」、１９８６年９月９日にウエイズマン（Ｗｅｉｓｍａｎ）らに発行された米国特許４，６１０，６７８「Ｈｉｇｈ−Ｄｅｎｓｉｔｙ　Ａｂｓｏｒｂｅｎｔ　Ｓｔｒｕｃｔｕｒｅ」、１９８９年５月３０日にアルマニー（Ａｌｅｍａｎｙ）らに発行された米国特許４，８３４，７３５「Ｈｉｇｈ　Ｄｅｎｓｉｔｙ　Ａｂｓｏｒｂｅｎｔ　Ｍｅｍｂｅｒｓ　Ｈａｖｉｎｇ　Ｌｏｗｅｒ　Ｄｅｎｓｉｔｙ　ａｎｄ　Ｌｏｗｅｒ　Ｂａｓｉｓ　Ｗｅｉｇｈｔ　Ａｑｕｉｓｉｔｉｏｎ　Ｚｏｎｅｓ」、さらに１９８６年にデュンク（Ｄｕｅｎｋ）らの名においてザプロクター　＆　ギャンブル　カンパニーに発刊されたヨーロッパ特許出願番号０，１９８，６８３が挙げられる。これら各特許は参照文献としてここに合体され、その開示をもって説明にかえる。
　【００３３】
　以上説明した生理用ナプキン１は使用状態においては、こうした目的でよく知られる図示しない固定手段あるいは支持手段により所定箇所に保持される。好ましくは、生理用ナプキンは使用者の下着あるいはパンティに配置され粘着剤４０などの固定手段により固定される。粘着剤４０は生理用ナプキンをパンティのクロッチ部分に固定する手段を提供する。したがって、吸収性物品１の下着側表面の一部または全部に粘着剤が塗布される。公知のこうした目的に使用されるあらゆる粘着剤や糊がここでの粘着剤として使用することができるが、プレッシャーセンシティブアドヒシブ（ｐｒｅｓｓｕｒｅーｓｅｎｓｉｔｉｖｅ　ａｄｈｅｓｉｖｅｓ）が好まれる。適当な粘着剤としては、センチュリーアドヒシブコーポレーション（Ｃｅｎｔｕｒｙ　Ａｄｈｅｓｉｖｅｓ　Ｃｏｒｐｏｒａｔｉｏｎ；Ｃｏｌｕｍｂｕｓ，Ｏｈｉｏ）によるＣｅｎｔｕｒｙ　Ａー３０５ーＩＶや、ナショナルスターチアンドケミカアルカンパニー（Ｎａｔｉｏｎａｌ　Ｓｔａｒｃｈ　ａｎｄ　Ｃｈｅｍｉｃａｌ　Ｃｏｍｐａｎｙ；Ｂｒｉｄｇｅｗａｔｅｒ，Ｎｅｗ　Ｊｅｒｓｅｙ，ｔｈｅ　Ｕ．Ｓ．Ａ．）によるＩｎｓｔａｎｔ　Ｌｏｃｋ　３４ー２８２３がある。好適なアドヒシブファスナーはまた米国特許４，９１７，６９７号に開示されている。生理用ナプキンが使用に供される前には、プレッシャーセンシティブアドヒシブは通常除去可能なリリースライナー４１により覆われており、これにより使用前に粘着剤が乾いたり、パンティのクロッチ部以外に接着するのを防ぐ。好ましいリリースライナーは上記参照文献米国特許４，９１７，６９７号に開示されている。入手可能なリリースライナーであってこうした目的に使用されるものはいかなるものでもここで使用可能である。リリースライナーの限定されない一例としては、アクロシル（Ａｋｒｏｓｉｌ　Ｃｏｒｐｏｒａｔｉｏｎ；Ｍｅｎａｓｈａ，Ｗｉｓｃｏｎｓｉｎ，ｔｈｅ　Ｕ．Ｓ．Ａ．）により製造されＢＬ３０ＭＧーＡ　Ｓｉｌｏｘ　Ｅ１／０、あるいはＢＬ３０ＭＧーＡ，Ｓｉｌｏｘ　４Ｒ／０で特定されるリリース紙である。本発明の生理用ナプキン１はリリースライナーを除去しその後生理用ナプキンをパンティに配置することで粘着剤をパンティに接触させる。粘着剤４０は使用中生理用ナプキンがパンティの所定位置に保持されるよう補助する。
　【００３４】
　本発明の他の好ましい実施例として、生理用ナプキンはさらに一対のフラップ（図示せず）を備えることもある。各フラップはアブソーバントコアの側端部に沿って位置する連結部（Ｊｕｎｃｔｕｒｅ）の線の近傍から横方向に延びている。フラップ（あるいはウイング）は使用者のパンティのクロッチ部分の端部において折り返すよう形成されており、フラップはパンティのクロッチ部端部および大たい部の間に配置される。フラップは少なくとも２つの目的により提供される。第１に、フラップは、とりわけパンティの端部において２重のバリアを構成することでメンスによる着用者およびパンティへの汚れを防ぐのを補助する。第２に、フラップには好ましくは下着側表面に固定手段が設けられ、これによってフラップはパンティの下に折り返されるとパンティ側に向く面が下着に固定される。このようにすれば、フラップにより生理用ナプキンがパンティの適切な位置に保持される。フラップは、トップシート２、バックシート３、あるいはこれらを組み合わせたものと同様な材料を含む様々な材料から構成することができる。さらに、フラップは主ボディー部に取付けられた別個の単一の要素、さらにはトップシートとバックシートとの延長部分（即ち統合されたフラップ）から構成することもできる。本発明の生理用ナプキンに使用可能なあるいは適したフラップを有する多くの生理用ナプキンは、１９８７年８月１８日にヴァン　ティルバーグ（Ｖａｎ　Ｔｉｌｂｕｒｇ）に発行された米国特許４，６８７，４７８号「Ｓｈａｐｅｄ　Ｓａｎｉｔａｒｙ　Ｎａｐｋｉｎｓ　Ｗｉｔｈ　Ｆｌａｐｓ」、１９８６年５月２０日にヴァン　ティルバーグ（Ｖａｎ　Ｔｉｌｂｕｒｇ）に発行された米国特許４，５８９，８７６「Ｓａｎｉｔａｒｙ　Ｎａｐｋｉｎｓ」、また１９８６年８月２６日にマッティングリー（Ｍａｔｔｉｎｇｌｙ）に発行された米国特許４，６０８，０４７号「Ｓａｎｉｔａｒｙ　Ｎａｐｋｉｎ　Ａｔｔａｃｈｍｅｎｔ　Ｍｅａｎｓ」に開示されている。各特許はここに参照文献として合体させ、その開示をもって説明にかえる。
　【００３５】
　以上の説明から明らかであるように、本発明によれば、液体搬送帯はアブソーバントコアへの液体の浸透と拡散を改良し、吸収性物品を比較的薄くすることを可能にする。したがって、本発明は改良された液体の搬送特性をもつ液体搬送帯を提供するとともに、横端に沿って漏れをより防止する改良された液体搬送帯をもつ吸収性物品を提供する。
　【００３６】
　以上本発明の各実施例について図示し説明したが、本発明の範囲および精神を逸脱しない範囲において、当業者により種々の他の変形や修正が行われることは明らかである。したがって、添付された請求の範囲によりそうした変形や修正は包含されるのでありこれらは本考案の主旨の範囲内である。
　【００３７】
　【発明の効果】
　以上詳述したように本発明の吸収性物品によれば、液体搬送帯のスクリーンパターンの液体搬送特性、あるいはエンボスパターンの液体搬送特性、さらにはこれらパターンの各々の特性の相乗効果により、吸収性物品を比較的薄くすることができ、さらには横漏れのおそれを減少することができるという効果を奏する。
【図面の簡単な説明】
　【図１】
　本発明の生理用ナプキンとしての実施例であって、一部切り欠きにより内部構造を示した斜視図。
　【図２】
　図１に示される本発明の搬送帯のトップシート側が観察者に対面している平面図。
　【図３】
　図２において３ー３線で切断した拡大された横部断面図。
　【図４】
　本発明の生理用ナプキンとしての他の実施例を示す平面図。
　【符号の説明】
　１　吸収性物品（生理用ナプキン）
　２　トップシート
　３　バックシート
　４　アブソーバントコア
　１０　液体搬送帯
　１３　スクリーンパターン
　１５　エンボスパターン